(57)【特許請求の範囲】
【請求項１】
ブラシ毛が植毛されたヘッド部と、使用者が把持する柄部と、当該柄部に収納された電池と、を備え、前記電池の一方の電極が前記柄部の外表面に導通され、当該電池の他方の電極がヘッド部のブラシ毛の植毛部付近に導通されるイオン歯ブラシであって、
一方の端子が前記電池の一方の電極に接続され、他方の端子が前記電池の他方の電極に接続される発光体と、
前記電池の他方の電極と、前記ブラシ毛の植毛部付近を導通させると共に、前記発光体の他方の端子と導通可能な導電性支軸と、
前記発光体、前記導電性支軸及び前記電池を含む電気回路の開閉を行うスイッチと、
前記電池の一方の電極と前記発光体の一方の端子とを電気的に接続する第１の接続部材と、
前記電池の他方の電極と前記発光体の他方の端子とを電気的に接続する第２の接続部材と、
を備え、
前記柄部は、部品収納部が形成された柄部本体と、当該部品収納部を閉鎖する閉鎖カバーと、を有し、
前記第１の接続部材は、前記電池の一方の電極と接続する端部が略Ｌ字状に曲げられてなり、前記発光体の一方の端子と接続する端部は、配線基板を介して前記発光体の一方の端子に電気的に接続されると共に、当該略Ｌ字状に曲げられた方向とは逆側に略Ｕ字状に曲げられてなり、
前記第２の接続部材は、前記導電性支軸を介して前記電池の他方の電極に接続されると共に、当該導電性支軸と接続する端部が略Ｌ字状に曲げられてなり、前記発光体の他方の端子と接続する端部は、前記配線基板を介して前記発光体の他方の端子に電気的に接続されると共に、当該略Ｌ字状に曲げられた方向と略垂直な方向に略Ｕ字状に曲げられてなり、
前記第１の接続部材の略Ｕ字状に曲げられた端部は、前記柄部本体に形成された第１の溝内に収納されて固定されてなり、前記第１の接続部材の略Ｌ字状に曲げられた端部は、前記電池の外側面を弾性的に押圧し、
前記第２の接続部材の略Ｕ字状に曲げられた端部は、前記柄部本体に形成された第２の溝内に収納されて固定されてなり、前記第２の接続部材の略Ｌ字状に曲げられた端部は、前記導電性支軸を弾性的に押圧し、
前記柄部本体を前記閉鎖カバーで閉鎖することにより、前記部品収納部に収納した部品を固定する、
イオン歯ブラシ。
【請求項２】
前記スイッチは、スイッチノブを有し、当該スイッチノブを押圧することにより前記電気回路を閉じる請求項１記載のイオン歯ブラシ。
【請求項３】
前記スイッチは、前記電池の一方の電極、前記発光体の一方の端子、前記発光体、前記発光体の他方の端子、前記導電性支軸、前記電池の他方の電極、のいずれかの間に位置してなる請求項１記載のイオン歯ブラシ。
【請求項４】
前記スイッチは、前記スイッチノブを押圧することにより、前記導電性支軸と、前記発光体の他方の端子を導通させる請求項２記載のイオン歯ブラシ。
【請求項５】
前記スイッチノブは、前記閉鎖カバーに一体的に形成されてなる請求項４記載のイオン歯ブラシ。
【請求項６】
前記スイッチノブは、前記閉鎖カバーに一体的に形成した弾性変位部からなる請求項５記載のイオン歯ブラシ。
【請求項７】
前記閉鎖カバーに、前記スイッチノブを嵌装するスイッチノブ穴を形成した請求項４記載のイオン歯ブラシ。
【請求項８】
前記閉鎖カバーに、前記電池の一方の電極が露出可能な電池穴を形成した請求項４記載のイオン歯ブラシ。
【請求項９】
前記スイッチノブの少なくとも一部に、前記発光体が発生する光を透過可能な光透過部を設けた請求項２記載のイオン歯ブラシ。
【請求項１０】
前記閉鎖カバーは、前記発光体が発生する光を透過可能な光透過性部材からなる請求項４記載のイオン歯ブラシ。
【請求項１１】
前記部品収納部に、少なくとも、前記電池の一部、前記発光体、前記発光体の両端子及び前記スイッチを収納した請求項３記載のイオン歯ブラシ。
【請求項１２】
前記導電性支軸の少なくとも一部が前記部品収納部に露出した請求項３記載のイオン歯ブラシ。
【請求項１３】
前記第１の接続部材は、断面略円形の丸線からなる請求項１ないし請求項１２のいずれか一項に記載のイオン歯ブラシ。
【請求項１４】
前記第２の接続部材は、断面略円形の丸線からなる請求項１ないし請求項１３のいずれか一項に記載のイオン歯ブラシ。
【請求項１５】
前記発光体の両端子は、導電性を備えた弾性部材の付勢力により、前記配線基板に電気的に接続される請求項１ないし請求項１４のいずれか一項に記載のイオン歯ブラシ。
【請求項１６】
前記部品収納部には、少なくとも前記第１及び第２の接続部材、前記配線基板、前記弾性部材及び発光体が収納され、当該前記第１及び第２の接続部材、前記配線基板、前記弾性部材及び発光体は、前記柄部本体をカバーで閉鎖することにより固定される請求項１５記載のイオン歯ブラシ。
【発明の詳細な説明】
技術分野
本発明は、歯と歯ブラシの間に電流を流すことにより、歯の歯垢をより効果的に除去すると共にブラッシング効果が向上したイオン歯ブラシ等、電池を使用して歯磨きを行う歯ブラシに内蔵された電池の有効性を簡単に検査することができる歯ブラシに関する。
技術背景
従来から、歯ブラシの柄部に電池を内蔵し、この柄部を把持する使用者の手を介して微弱な電流を歯と、歯ブラシのブラシ毛との間に流し、電位傾斜を利用して歯垢を有効に除去すると共にブラッシング効果を向上させたイオン歯ブラシが種々提案されている。
この種のイオン歯ブラシは、前記効果を維持するために、電源電圧が所定の値に維持されなければならない。このため、前記柄部に電池などの電源を内蔵するようなものにおいては、定期的に電源電圧を検査する必要がある。そこで、この電源電圧を検査することが可能なイオン歯ブラシとして、特許公報第２６７６７０８号に記載されたものがある。この特許公報に記載された歯ブラシは、使用者の口内に最小５０μＡの電流が流れると作動する発光ダイオード及び発音装置が設けられた構造を有している。ここで、発光ダイオードから発せられる光は、歯ブラシの外側から確認できるようになっており、この発光ダイオード及び発音装置が作動することによって、前記電源電圧が所定の値に維持されていることを簡単に確認できるようになっている。
しかしながら、前記特許公報に記載の歯ブラシは、歯磨きの間、常に光と音が発せられる複数の電子部品による構造を備えているため、日常品である歯ブラシとしての普及が困難であるという問題がある。
そこで、電源電圧の検査を行いたい時だけスイッチを入れることによって発光体を発光させるイオン歯ブラシが、特開平２−３０９９０８号公報に記載されている。
特開平２−３０９９０８号公報に記載されているイオン歯ブラシは、電池が不要に消耗することなく、電源電圧の検査を簡単に行うことがきるという利点を備えているが、組立て工程の簡略化についてさらなる改良の余地があった。
発明の開示
本発明は、このような従来の問題点を解決することを課題とするものであり、電池の有効性を検査するための発光体の点滅をスイッチにより行うことができ、この検査による電池の消耗を低減させることができ、かつ組立て工程が簡略化された歯ブラシを提供することを目的とする。
この目的を達成するため、本発明は、ブラシ毛が植毛されたヘッド部と、使用者が把持する柄部と、当該柄部に収納された電池と、を備え、前記電池の一方の電極が前記柄部の外表面に導通され、当該電池の他方の電極がヘッド部のブラシ毛の植毛部付近に導通されるイオン歯ブラシであって、一方の端子が前記電池の一方の電極に接続され、他方の端子が前記電池の他方の電極に接続される発光体と、前記電池の他方の電極と、前記ブラシ毛の植毛部付近を導通させると共に、前記発光体の他方の端子と導通可能な導電性支軸と、前記発光体、前記導電性支軸及び前記電池を含む電気回路の開閉を行うスイッチと、を備えたイオン歯ブラシを提供するものである。
前記スイッチは、スイッチノブを有し、当該スイッチノブを押圧することにより前記電気回路を閉じることができる。
前記スイッチは、前記電池の一方の電極、前記発光体の一方の端子、前記発光体、前記発光体の他方の端子、前記導電性支軸、前記電池の他方の電極、のいずれかの間に位置することができる。
また、前記スイッチは、前記スイッチノブを押圧することにより、前記導電性支軸と、前記発光体の他方の端子を導通させることができる。
前記柄部は、部品収納部が形成された柄部本体と、当該部品収納部を閉鎖する閉鎖カバーと、を備えて構成することができる。
前記スイッチノブは、前記閉鎖カバーに一体的に形成することもできる。
また、前記スイッチノブは、前記閉鎖カバーに一体的に形成した弾性変位部から構成することができる。
前記閉鎖カバーには、前記スイッチノブを嵌装するスイッチノブ穴を形成することができる。
また、前記閉鎖カバーには、前記電池の一方の電極が露出可能な電池穴を形成することができる。
前記スイッチノブの少なくとも一部には、前記発光体が発生する光を透過可能な光透過部を設けることができる。
前記閉鎖カバーは、前記発光体が発生する光を透過可能な光透過性部材から構成することもできる。
前記部品収納部には、少なくとも、前記電池の一部、前記発光体、前記発光体の両端子及び前記スイッチを収納することができる。
また、前記柄部本体を前記閉鎖カバーで閉鎖することにより、前記部品収納部に収納した部品を固定することができる。
そしてまた、前記導電性支軸の少なくとも一部を前記部品収納部に露出させることもできる。
前記電池の一方の電極と前記発光体の一方の端子とを電気的に接続する第１の接続部材と、前記電池の他方の電極と前記発光体の他方の端子とを電気的に接続する第２の接続部材と、をさらに備え、前記第１及び第２の接続部材は、その弾性力により前記電池と電気的に接続することもできる。
前記第１の接続部材は、一端が前記柄部に固定され、他端が前記電池の一方の電極に、その弾性力により付勢される構成にすることができる。
前記第１の接続部材は、断面略円形の丸線からなり、その一端が曲げられて前記柄部に形成された第１の溝に収納・固定された構成とすることができる。
前記第２の接続部材は、前記導電性支軸に、その弾性力により付勢されることにより前記電池の他方の電極に電気的に接続することができる。
前記第２の接続部材は、一端が前記柄部に固定されるよう構成することができる。
前記第２の接続部材は、断面略円形の丸線からなり、その一端が曲げられて前記柄部に形成された第２の溝に収納・固定された構成とすることができる。
前記第１の接続部材は、配線基板を介して前記発光体の一方の端子に電気的に接続され、前記第２の接続部材は、当該配線基板を介して前記発光体の他方の端子に電気的に接続され、当該発光体の両端子は、導電性を備えた弾性部材の付勢力により、前記配線基板に電気的に接続された構成とすることもできる。
前記柄部は、部品収納部が形成された柄部本体と、当該部品収納部を閉鎖するカバーと、を備え、前記部品収納部には、少なくとも前記第１及び第２の接続部材、前記配線基板、前記弾性部材及び発光体が収納され、当該前記第１及び第２の接続部材、前記配線基板、前記弾性部材及び発光体は、前記柄部本体をカバーで閉鎖することにより固定される構成とすることができる。
前記第１の接続部材は、前記電池の一方の電極に接続された導電性部材に、その弾性力により付勢されることにより、当該一方の電極に電気的に接続することができる。
また、本発明は、ブラシ毛が植毛されたヘッド部と、使用者が把持する柄部と、当該柄部に収納された電池と、を備え、前記電池の一方の電極が前記柄部の外表面に導通され、当該電池の他方の電極がヘッド部のブラシ毛の植毛部付近に導通されるイオン歯ブラシであって、一方の端子が前記電池の一方の電極に接続され、他方の端子が前記電池の他方の電極に接続される発光体あるいは発音体またはその両方と、前記発光体あるいは発音体またはその両方、及び前記電池を含む電気回路の開閉を行うスイッチと、を備え、前記スイッチは、前記柄部の往復動により移動する移動体を有し、当該移動体の移動に応じて前記電気回路の開閉を行うイオン歯ブラシを提供するものである。
前記移動体は、転動体または滑動体から構成することができる。また、前記滑動体は、滑動支軸に支持されて移動することができる。そしてまた、前記滑動支軸は、導電性材料から構成することができる。
前記柄部は、部品収納部が形成された柄部本体と、当該部品収納部を閉鎖する閉鎖カバーと、を備えて構成することができる。
前記電池の他方の電極は、導電性支軸により前記ブラシ毛の植毛部付近に導通される構成とすることができる。
前記部品収納部には、少なくとも、前記電池の一部、前記発光体、前記発光体の両端子、前記移動体を収納することができる。
前記閉鎖カバーには、前記電池の一方の電極が露出可能な電池穴を形成することもできる。
前記閉鎖カバーの少なくとも一部は、前記前記発光体が発生する光を透過可能な光透過部材から構成することもできる。
そしてまた、本発明は、発光体あるいは発音体またはその両方の点滅によって、ブラシ毛、歯及び歯肉、体、柄表面端子、電池の一方の電極、当該電池の他方の電極、前記ブラシ毛、が形成する回路に供給される電流及び電圧が変化するイオン歯ブラシを提供するものである。
また、本発明は、ブラシ毛が植毛されたヘッド部と、使用者が把持する柄部と、当該柄部に収納された電池と、を備えた歯ブラシであって、一方の端子が前記電池の一方の電極に接続され、他方の端子が前記電池の他方の電極に接続される発光体あるいは発音体またはその両方と、前記発光体あるいは発音体またはその両方、及び前記電池を含む電気回路の開閉を行うスイッチと、を備え、前記スイッチは、前記柄部の往復動により移動する移動体を有し、当該移動体の移動に応じて前記電気回路の開閉を行う歯ブラシを提供するものである。
発明を実施するための最良の態様
次に、本発明の実施の形態に係るイオン歯ブラシについて図面を参照して説明する。
（実施の形態１）
図１は、実施の形態１に係るイオン歯ブラシの平面図、図２は、図１に示すイオン歯ブラシの側面図、図３は、図１に示すイオン歯ブラシから導電板及びカバーを外した状態の平面図、図４は、図３に示すＩＶ−ＩＶ線に沿った断面図、図５は、図３に示すＶ−Ｖ線に沿った断面図、図６は、図４に示すＶＩ−ＶＩ線に沿った断面図、図７は、図４に示すＶＩＩ−ＶＩＩ線に沿った断面図、図８は、図４に示すＶＩＩＩ−ＶＩＩＩ線に沿った断面図、図９は、図４に示すＶＩＶ−ＶＩＶ線に沿った断面図、図１０は、図４に示すＸ−Ｘ線に沿った断面図である。
なお、実施の形態１では、ブラシ毛が位置する側を「先端側」、その反対側を「基端側」とし、先端側に向かって右側を「右側」、その反対側を「左側」とした。
実施の形態１に係るイオン歯ブラシは、図１ないし図１０に示すように、使用者が把持する柄部１０と、柄部１０に着脱可能に設けられかつブラシ毛５１が植毛されたヘッド部５０と、を備えて構成されている。
柄部１０は、後に詳述する部品を収納する柄部本体１１と、当該部品を収納した柄部本体１１の表面に設けられて、柄部本体１１を閉鎖するカバー１２を備えて構成されている。
柄部本体１１は、その略中央部表面に、電池１４を収納するための電池収納穴１５が開口されている。この電池収納穴１５内には、例えば円盤状のリチウム電池が収納される。この電池１４は、後に詳述するが、一方の電極（例えば正極）が、ＬＥＤ１８の一端１８Ｂに、他方の電極（例えば負極）が、支軸２６に接続されている。
電池収納穴１５の中央底部には、柄部本体１１の長手方向沿った略中央部に配設された導電性材料からなる支軸２６の一部が露出されている。この支軸２６の露出部が電池１４の他方の電極に接触して電気的な接続が行われる。この支軸２６は、柄部本体１１内を先端側に向かって長手軸線方向に延び、柄部本体１１の先端から延出し、ヘッド部５０を柄部１０に装着した際に、ブラシ毛５１の直前で終端するように構成されている。また、支軸２６の基端側は電池１４を超えて、後に詳述する配線基板３０の先端側手前まで延出している。
柄部本体１１の基端表面には、発光体を収納するための発光体収納穴１９が開口されている。この発光体収納穴１９内には、例えば、ＬＥＤ（発光ダイオード）１８が収納される。このＬＥＤ１８の両端子１８Ａ及び１８Ｂは、導電性材料からなるスプリング２１Ａ及び２１Ｂを介して、後に詳述する配線基板３０に電気的に接続される。すなわち、ＬＥＤ１８の両端子１８Ａ及び１８Ｂは、スプリング２１Ａ及び２１Ｂの押圧力によって配線基板３０に確実に接続・固定される。このため、例えば、はんだ付け等の溶着を行うことなく、ＬＥＤ１８の両端子１８Ａ及び１８Ｂと、配線基板３０との電気的な接続を行うことができ、組立て工程を簡略化することができる。なお、発光体収納穴１９の底部は、ＬＥＤ１８が発光した際に、その光が透過するよう半透明に構成されている。
柄部本体１１の、電池１４とＬＥＤ１８との略中間部は、その太さが他の部分より若干大きくなっており、ここに、電池１４とＬＥＤ１８を含む電気回路（この回路については後に詳述する）の開閉を行うスイッチ２２を収納する略円筒形のスイッチ収納穴２３が貫通形成されている。
このスイッチ収納穴２３に収納されるスイッチ２２は、ゴム等の弾性部材からなる略円盤状であって、断面略Ｅ字状（図９参照）のスイッチノブ２４と、スイッチノブ２４の中心部に形成された凸部２４Ａに設けられた導電性部材からなるスプリング２５と、スイッチノブ２４の外周部と配線基板３０との間に設けられたリング状のスペーサ２７と、を備えて構成されている。
このスイッチ２２は、スイッチノブ２４が、柄部本体１１のカバー１２が設けられる面（以下、こちら側を「上部」または「上側」という）とは反対側の表面側（以下、こちら側を「下部」、「下側」または「底面」という）から若干突出するよう設けられ、この突出した部分を柄部本体１１の内側に向けて押し込むことで、スイッチノブ２４が弾性変形し、配線基板３０にスプリング２５が接触し、閉回路が形成される構成となっている。
なお、通常状態、すなわちスイッチ２２が押されていない状態では、スイッチノブ２４及びスプリング２５と、配線基板３０との接触は、スペーサ２７の存在によって阻止されている。また、スイッチ２２は、配線基板３０及びスペーサ２７の存在により、柄部本体１１のスイッチ収納穴２３内に固定される。
また、スイッチ２２は、柄部１０の基端より中央部寄りに設けられているため、例えば、イオン歯ブラシを使用しない際に、基端側を下にしてイオン歯ブラシを置いてもスイッチ２２が入ることがない。
配線基板３０は、特に図３及び図９に示すように、ＬＤＥ１８及びスイッチ２２より上側に配置されている。この配線基板３０は、スイッチノブ２２に設けられたスプリング２５に臨む部分がスイッチの接点となっている。すなわち、この部分の配線パターンは、通常の状態では、電気的に接続していない状態（配線が切れている状態）となっており、スイッチノブ２４を押すことによって、スプリング２５が前記スイッチの接点に接触した際に閉回路が形成され、ＬＥＤ１８が点灯する。この配線基板３０は、柄部本体１１から突出して配線基板３０を貫通する凸部３１Ａ及び３１Ｂと、ねじ３２Ａ及び３２Ｂとによって、柄部本体１１に固定されている。
配線基板３０と電池１４との間であって、柄部本体１１の先端に向かって右側には、一端が電池１４の一方の電極（例えば正極）に接触し、他端が配線基板３０の所定位置に接触して、両者を電気的に接続する第１の接続部材３５が設けられている。
この第１の接続部材３５は、導電性を備えた弾性材料からなる断面略円形の丸線によって構成されている。この第１の接続部材３５は、特に図４、図６及び図８に示すように、電池１４の一方の電極と接触する端部３５Ａが、略Ｌ字状に曲げられている。また、配線基板３０に接触する端部３５Ｂは、特に図４及び図８に示すように、略Ｌ字状端部３５Ａが曲げられた方向とは逆側に略Ｕ字状に曲げられている。この略Ｕ字状端部３５Ｂは、柄部本体１１に形成された第１の溝３６内に収納・固定される。これによって、第１の接続部材３５は、図３に示すように柄部本体１１の左右方向に弾性的に撓み、端部３５Ａが電池１４の外側面に弾性的に押圧される。このため、第１の接続部材３５を電池１４の一方の電極に確実に接触・固定することができる。また、第１の接続部材３５の他端３５Ｂは、配線部材３０に上から押圧された状態となり、両者は確実に接触すると共に、第１の接続部材３５は、配線基板３０による前記押圧によって、その位置が固定される。このように、第１の接続部材３５と、電池１４及び配線基板３０との電気的な接続を、例えば、はんだ付け等の溶着を行うことなく確実に行うことができる。このため、組立て工程を簡略化することができる。
配線基板３０と電池１４との間であって、柄部本体１１の先端に向かって左側には、一端が支軸２６の基端部に接触し、他端が配線基板３０の所定位置に接触して両者を電気的に接続する第２の接続部材３７が設けられている。この第２の接続部材３７は、導電性を備えた弾性材料からなる断面略円形の丸線によって構成されている。
この第２の接続部材３７は、特に図４、図７及び図８に示すように、支軸２６の基端部に接触する端部３７Ａが、略Ｌ字状に曲げられている。また、配線基板３０に接触する端部３７Ｂは、端部３７Ａの曲げ方向に対して垂直な方向に略Ｕ字状に曲げられている。この略Ｕ字状端部３７Ｂは、柄部本体１１に形成された第２の溝３８内に収納・固定される。これによって第２の接続部材３７の先端３７Ａが、支軸２６を上部から下に向けて弾性的に押圧する。このため、第２の接続部材３７を支軸２６に確実に接触・固定することができる。また、第２の接続部材３７の他端３７Ｂは、配線部材３０に上から押圧された状態となり、両者は確実に接触すると共に、第２の接続部材３７は、配線基板３０による前記押圧によって、その位置が固定される。このように、第２の接続部材３７と、支軸２６及び配線基板３０との電気的な接続を、例えば、はんだ付け等の溶着を行うことなく、確実に行うことができる。このため、組立て工程を簡略化することができる。
なお、実施の形態１では、第１及び第２の接続部材３５及び３７を丸線により構成したが、丸線は加工がし易いという利点も備えている。
柄部本体１１の電池１４が収納された外周部には、電池１４のターミナルとなる導電板４０が設けられている。この導電板４０は、断面略コ字状を備えた導電性部材を柄部本体１１の所定位置に被せ、その両側開放端縁４０Ａ及び４０Ｂを内側に折り曲げて、柄部本体１１に形成した係止溝４２Ａ及び４２Ｂに係合させることにより、柄部本体１１に固定されている。
電池１４と導電板４０との間には、その弾性力により両者を接触させ、両者を確実に電気的に接続させる導電性材料からなる板ばね３９が設けられている。また、電池１４と導電板４０との間には、電池１４を水密に保持するためのシール部材４１（実施の形態１では、Ｏリング）が設けられている。
柄部本体１１の支軸２６が延出した端面には、ヘッド部５０を着脱可能に固定するための係合部４３が形成されている。なお、符号４４は、歯磨き中に唾液や歯磨剤等が柄部１０に流れてくるのを防止するための段部である。
カバー１２は、柄部本体１１の前述した種々の部品が収納された収納部を閉鎖するものであり、その内側面には、柄部本体１１に形成された凸部３１Ａ及び３１Ｂが嵌合する穴１２Ａ及び１２Ｂが形成されている。このカバー１２は、各々の凸部３１Ａ及び３１Ｂを穴１２Ａ及び１２Ｂにそれぞれ嵌合することで位置決めがなされた後、例えば超音波溶着により柄部本体１１に固定される。このカバー１２の固定により、柄部本体１１内に収納された種々の部品は、さらにしっかりと位置決めされ固定される。
ヘッド部５０は、ブラシ毛５１が植毛された植毛部５２と、この植毛部５２から一体にくびれて延びるシャンク部５３と、を備えて構成されている。ブラシ毛５１が植毛されている面であって、植毛部５２とシャンク部５３との間には、支軸２６の一部を露出するための連通溝５４が形成されている。また、シャンク部５３の内側には、支軸２６が挿入される支軸挿入穴５５が形成されている。シャンク部５３の基端側には、柄部本体１１に形成された係合部４３と係合する係合凹部５６が形成されている。
この構造を備えたイオン歯ブラシは、導電板４０に手を触れながら柄部１０を把持し、ブラシ毛５１によって歯をブラッシングすると、ブラシ毛５１が唾液等の液体によって濡れ、連通溝５４を含む液体の連なった経路を介して支軸２６が電気的に導通可能な状態となる。これにより、電流は、電池１４から使用者の手、体、歯、ブラシ毛５１、連通溝５４を含む液路、支軸２６、電池１４という経路で流れ、電位傾斜によってブラッシング時の歯垢除去効果、ブラッシング効果を高めることができる。
また、電池１４の有効性を確認する際には、スイッチ２２を押すと、スプリング２５が配線基板３０に接触し、電流が、電池１４、第１の接続部材３５、配線基板３０、スプリング２１Ｂ、ＬＥＤ１８、スプリング２１Ａ、配線基板３０、スプリング２５、配線基板３０、第２の接続部材３７、電池１４という電気回路が構成される。この動作により、電池１４が所定の電圧を有している場合には、ＬＥＤ１８が点灯し、その有効性を示す。一方、電池１４が消耗し、所定の電圧を有さなくなった際には、スイッチ２２を押してもＬＥＤ１８が点灯しない。
また、スイッチ２２を押すことを止めると、スイッチノブ２４の弾性力及びスプリング２５の弾性力により、配線基板３０からスプリング２５が離間されて、前述した電気回路が再び開回路となり、ＬＥＤ１８の点灯が消える。
このように、本発明に係るイオン歯ブラシは、電源電圧の検査を行いたい時にだけスイッチ２２を入れる（押す）ことにより、簡単に電源電圧の検査を行うことができる。
また、柄部１０を、柄部本体１１とカバー１２とに分けて構成し、ＬＥＤ１８の端子１８Ｂ及び第１の接続部材３５を、その弾性力により電池１４の側面に接触させ、配線基板３０を挟んでカバー１２を溶着することで、これらの部材を固定させている。したがって、はんだ付け等の面倒な溶着を行うことなく、これらの部材を確実に電気的に接続、配置・固定することができる。したがって、組立て工程を簡略化することができる。
なお、実施の形態１では、ヘッド部５０が柄部１０から分離可能であるイオン歯ブラシについて説明したが、これに限らず、本発明に係るイオン歯ブラシは、ヘッド部と柄部とが一体に形成された構造であってもよいことは勿論である。
また、実施の形態１では、第１の接続手段３５とＬＥＤ１８の一方の端子１８Ｂとの電気的な接続、及び第２の接続手段３７とＬＥＤ１８の他方の端子１８Ａとの電気的な接続は、配線基板３０、スプリング２１Ａ及び２１Ｂを介して行った場合について説明したが、これに限らず、他の接続手段を使用して、前述した電気的な接続を行ってもよい。
そしてまた、実施の形態１では、第１及び第２の接続部材３５及び３７を、断面略円形の丸線により構成した場合について説明したが、これに限らず、第１及び第２の接続部材は、その弾性力によって電池１４または支軸２６に確実に接触可能であれば、その形状は任意に決定してよく、例えば、その断面径状は、略楕円状、多角形状等、任意に決定することができる。
また、実施の形態１では、第２の接続部材３７を支軸２６に接触させた場合について説明したが、これに限らず、第２の接続部材３７は、直接電池１４の他方の電極に接触させる構造であってもよい。
そしてまた、スイッチ２２は、実施の形態１で説明した位置に限らず、電池１４の一方の電極、ＬＥＤ１８の一方の端子１８Ａ及び１８Ｂ、ＬＥＤ１８、支軸２６、電池１４の他方の電極、のいずれの間に位置させてもよい。
（実施の形態２）
次に、本発明の実施の形態２に係るイオン歯ブラシについて、図面を参照して説明する。
図１１は、実施の形態２に係るイオン歯ブラシの平面図、図１２は、図１１に示すＸＩＩ−ＸＩＩ線に沿った断面図、図１３は、図１１のＸＩＩＩ−ＸＩＩＩ線に沿った断面図である。なお、図１１は、部品の配置が判るように、柄部、導電板及びスイッチノブが透明であるようにして記載してある。また、実施の形態２では、実施の形態１に係るイオン歯ブラシと同様の部材には、同一の符号を付し、その詳細な説明は省略する。
実施の形態２に係るイオン歯ブラシは、図１１〜図１３に示すように、使用者が把持する流線型の柄部６０と、実施の形態１で説明したヘッド部５０を備えて構成されている。
柄部６０は、その略中央部表面に電池１４を収納するための電池収納穴１５が開口され、基端側にスイッチ７１及ＬＥＤ１８を収納するための収納穴７２が開口されている。また、この柄部６０の長手方向に延びる両側面には、後に詳述する薄膜部材７３Ａ及び７３Ｂを収納する薄膜部材収納穴８０Ａ及び８０Ｂが形成されている。この薄膜部材収納穴８０Ａ及び８０Ｂは、先端側が導電板４０の厚さ分だけ深く構成された凹部７９Ａ及び７９Ｂとなっている。
薄膜部材７３Ａ及び７３Ｂは、導電性材料からなる薄膜やテープ等によって構成されており、柄部６０の薄膜部材収納穴８０Ａ及び８０Ｂに収納・配置されている。この薄膜部材７３Ａ及び７３Ｂは、薄膜部材収納穴８０Ａ及び８０Ｂの深さと同様の厚さを備えており、薄膜部材収納穴８０Ａ及び８０Ｂ内に配置された際には、柄部６０の側面と、薄膜部材７３Ａ及び７３Ｂとが同じ高さ、すなわち面一となる。薄膜部材７３Ａ及び７３Ｂの先端部は、凹部７９Ａ及び７９Ｂに各々収納され、上から導電板４０が設けられ、両薄膜部材７３Ａ及び７３Ｂは、導電板４０に電気的に接続されている。ここで、凹部７９Ａ及び７９Ｂは、薄膜部材７３Ａ及び７３Ｂの厚さに導電板４０の厚さを加えた深さを有しているため、導電板４０を配置した際には、柄部６０の外表面と、導電板４０の表面とが画一となる。この両薄膜部材７３Ａ及び７３Ｂは、導電板４０を介して、電池１４の一方の電極に電気的に接続される。
柄部６０内に配置された支軸２６は、その基端側がスイッチ７１まで延出されている以外は、実施の形態１で説明した構成と同様である。
柄部６０の、支軸２６の基端部近傍には、支軸２６の基端部に向けて、支軸２６の長手方向に垂直に突出された導電性のピン７４が形成されている。このピン７４は支軸２６と接触せずに、その手前で終端している。また、ピン７４は、薄膜部材７３Ａに接続されている。この構成により、ピン７４は、薄膜部材７３Ａ及び導電板４０を介して、電池１４の一方の電極に電気的に接続されることになる。
ＬＥＤ１８の端子１８Ｂと、ピン７４との間には、導電性を備えた弾性材料からなる第１の接続部材７５が設けられている。この第１の接続部材７５は、先端側の端部７５Ａがピン７４に接触し、基端側の端部７５ＢがＬＥＤ１８の端子１８Ｂに接触している。
この第１の接続部材７５は、断面略円形の丸線によって構成され、その端部７５Ａ及び７５Ｂが下側に、その略中央部が上側に向けて若干湾曲した形状を有しており、ねじ３２Ａによって柄部６０に固定されている。この構成と、第１の接続部材７５の弾性により、第１の接続部材７５は、弾性的に撓み、端部７５Ａが上側からピン７４に、端部７５Ｂが上側からＬＥＤ１８の端子１８Ｂに弾性的に押圧する。このため、第１の接続部材７５を、ピン７４、薄膜部材７３Ａ及び導電板４０を介して電池１４の一方の電極に確実に接触・固定することができる。また、第１の接続部材７５の端部７５Ｂは、ＬＥＤ１８の端子１８Ｂに確実に接触・固定することができる。
ＬＥＤ１８の端子１８Ａと、支軸２６の基端部との間には、導電性を備えた弾性材料からなる第２の接続部材７７が設けられている。第２の接続部材７７は、導電性を備えた弾性材料からなる断面略円形の丸線によって構成されている。この第２の接続部材７７は、先端側の端部７７Ａが、略Ｌ字状に曲げられており、支軸２６の基端部上方に臨んでいる。この状態では、端部７７Ａは、特に図１３に示すように、支軸２６に接触していない。また、基端側の端部７７Ｂは、ＬＥＤ１８の端子１８Ａに接触している。この第２の接続部材７７は、ねじ３２Ｂによって柄部６０に固定されている。
なお、ＬＥＤ１８は、後に詳述するスイッチノブ７８に開口された小窓８３を介して、柄部６０の外側から確認可能となっている。この小窓８３には、ＬＥＤ１８が発生する光を透過可能な光透過性材料を設置してもよく、また、何も設置せずにＬＥＤ１８を露出させるようにしてもよい。この光透過性材料としては、透明あるいは半透明のプラスチック部材やその他の樹脂、レンズ、ガラスなど、主種のものが使用できる。
スイッチ７１は、支軸２６の基端部と、第２の接続部材７７と、前述した部品が収納された収納穴７２に嵌合されるスイッチノブ７８で構成されている。
スイッチノブ７８は、ゴム等の弾性部材からなり、その先端側、すなわち、第２の接続部材７７の略Ｌ字状端部７７Ａに対応する部分にリング状の空間８１が形成されている。この空間８１によって、略円柱形のスイッチ部８２が画定される。このスイッチノブ７８は、例えば、溶着や接着によって柄部６０に固定される。
この構成を備えたイオン歯ブラシの電池１４の有効性を確認する際には、スイッチノブ７８のスイッチ部８２を押すと、スイッチ部８２によって第２の接続部材７７の端部７７Ａが下方に押され、支軸２６と接触する。これによって、電流が、電池１４、導電板４０、薄膜部材７３Ａ、ピン７４、第１の接続部材７５、ＬＥＤ１８、第２の接続部材７７、支軸２６、電池１４という電気回路が構成される。この動作により、電池１４が所定の電圧を有している場合には、ＬＥＤ１８が点灯し、その有効性を示す。一方、電池１４が消耗し、所定の電圧を有さなくなった際には、スイッチノブ７８のスイッチ部８２を押してもＬＥＤ１８が点灯しない。
また、スイッチ２２を押すことを止めると、スイッチノブ７８の弾性力及び第２の接続部材７７の弾性力により、第２の接続部材７７が支軸２６から離間されて、前述した電気回路が再び開回路となり、ＬＥＤ１８の点灯が消える。
このように、実施の形態２に係るイオン歯ブラシも、電源電圧の検査を行いたい時にだけスイッチを入れることにより、簡単に電源電圧の検査を行うことができる。
なお、実施の形態２では、第１の接続部材７５及び第２の接続部材７７の形状を丸線形状としたが、これに限らず、第１及び第２の接続部材は、その弾性力によってピン７４または支軸２６、及びＬＥＤ１８の端子１８Ａ及び１８Ｂに確実に接触可能であれば、その形状は任意に決定してよく、例えば、その断面径状は、略楕円状、多角形状等、任意に決定することができる。
また、第１の接続部材７５の端部７５Ａ及び／または７５Ｂは、略Ｌ字状に曲げるなど、ピン７４やＬＥＤ１８の端子１８Ｂとの接触がさらに確実に行えるように、その形状を変更してもよい。これは、第２の接続部材７７についても同様である。
また、実施の形態２では、ＬＥＤ１８が発生する光を使用者が確認でみるように小窓８３を形成したが、これに限らず、小窓８３を形成する代わりに、スイッチノブ７８全体を前述した光透過性材料により構成してもよい。
（実施の形態３）
次に、本発明の実施の形態３に係るイオン歯ブラシについて、図面を参照して説明する。
図１４は、実施の形態３に係るイオン歯ブラシの平面図、図１５は、図１４に示すＸＶ−ＸＶ線に沿った断面図、図１６は、図１４のＸＶＩ−ＸＶＩ線に沿った断面図である。なお、図１４は、部品の配置が判るように、柄部、導電板及びスイッチノブが透明であるようにして記載してある。また、実施の形態３では、実施の形態１あるいは実施の形態２に係るイオン歯ブラシと同様の部材には、同一の符号を付し、その詳細な説明は省略する。
実施の形態３に係るイオン歯ブラシの、実施の形態２に係るイオン歯ブラシとの異なる点は、柄部が柄部本体とカバーから構成され、第１の接続部材の先端側端部が、電池１４の一方の電極に接触している点である。
実施の形態３に係るイオン歯ブラシは、図１４〜図１６に示すように、使用者が把持する流線型の柄部９０と、実施の形態１で説明したヘッド部５０を備えて構成されている。
柄部９０は、後に詳述する部品を収納する柄部本体９１と、当該部品を収納した柄部本体９１の表面に設けられて、柄部本体９１を閉鎖するカバー９２を備えて構成されている。
柄部本体９１は、その略中央部表面に電池１４を収納するための電池収納穴１５が開口され、基端側にスイッチ７１及ＬＥＤ１８を収納するための収納穴７２が開口されている。
柄部本体９１内に配置された支軸２６は、その基端側がスイッチ７１まで延出されている以外は、実施の形態１で説明した構成と同様である。
柄部本体９１の右側であって、電池１４とＬＥＤ１８との間には、電池１４の一方の電極とＬＥＤ１８の端子１８Ｂとを電気的に接続する第１の接続部材９３が設けられている。
第１の接続部材９３は、導電性を備えた弾性材料からなる断面略円形の丸線によって構成されている。この第１の接続部材９３は、電池１４の一方の電極と接触する端部９３Ａが略Ｌ字状に曲げられており、スイッチ部８２近傍では、スイッチ部８２を回避するように略コ字状に曲げられている。この第１の接続部材９３は、ねじ３２Ａによって柄部本体９１に固定されている。この構成と、第１の接続部材９３の弾性により、第１の接続部材９３は、弾性的に撓み、端部９３Ａが電池１４の外側面に弾性的に押圧し、端部９３Ｂが上側からＬＥＤ１８の端子１８Ｂに弾性的に押圧する。このため、第１の接続部材９３を、電池１４の一方の電極及びＬＥＤ１８の端子１８Ｂに確実に接触・固定することができる。
カバー９２は、柄部本体９１の導電板４０より基端側を閉鎖するものであり、例えば超音波溶着により柄部本体９１に固定される。
この構成を備えたイオン歯ブラシの電池１４の有効性を確認する際には、スイッチノブ７８のスイッチ部８２を押すと、スイッチ部８２によって第２の接続部材７７の端部７７Ａが下方に押され、支軸２６と接触する。これによって、電流が、電池１４、第１の接続部材９３、ＬＥＤ１８、第２の接続部材７７、支軸２６、電池１４という電気回路が構成される。この動作により、電池１４が所定の電圧を有している場合には、ＬＥＤ１８が点灯し、その有効性を示す。一方、電池１４が消耗し、所定の電圧を有さなくなった際には、スイッチノブ７８のスイッチ部８２を押してもＬＥＤ１８が点灯しない。
また、スイッチ２２を押すことを止めると、スイッチノブ７８の弾性力及び第２の接続部材７７の弾性力により、第２の接続部材７７が支軸２６から離間されて、前述した電気回路が再び開回路となり、ＬＥＤ１８の点灯が消える。
このように、実施の形態３に係るイオン歯ブラシも、電源電圧の検査を行いたい時にだけスイッチを入れることにより、簡単に電源電圧の検査を行うことができる。
なお、実施の形態２及び３では、流線型の柄部について説明したが、これに限らず、柄部の形状は、実施の形態１に準じてもよい。
また、実施の形態２の各部品配置を、実施の形態３の柄部９０に応用することもできる。
なお、実施の形態３に係るイオン歯ブラシは、柄部９０を、柄部本体９１とカバー９２とに分けて構成し、カバー９２にも電池収納穴１５を形成し、第１の接続部材９３をその弾性力により、ＬＥＤ１８の端子１８Ｂ及び電池１４の側面に接触させ、柄部本体９１のカバー９２との接合面にこれらを配置して、カバー９２を溶着させることにより、これらの部材を固定させている。したがって、これらの部材をはんだ付け等の面倒な溶着により固定する必要がなく、確実に各部材を電気的に接続、配置・固定することができる。したがって、組立て工程を簡略化することができる。
（実施の形態４）
次に、本発明の実施の形態４について図面を参照して説明する。
図１７は、実施の形態４に係るイオン歯ブラシの図１５に対応する一部断面図である。
なお、実施の形態４では、実施の形態３に係るイオン歯ブラシと同様の部材には、同一の符号を付し、その詳細な説明は省略する。
実施の形態４に係るイオン歯ブラシの、実施の形態３に係るイオン歯ブラシとの異なる点は、スイッチノブをカバーと一体的に形成した点である。
図１７に示すように、実施の形態４に係るイオン歯ブラシのカバー１７８は、スイッチ部８２が、その上部外周部に形成された蛇腹部１７９によって一体的に形成されている。このカバー１７８は、若干の弾性を備えた材料から構成されている。このスイッチ部８２は、蛇腹部１７９によるばね作用によって第２の接続部材７７の端部７７Ａが下方に押され、支軸２６と電気的に接触する。
なお、この構成において、カバー１７８全体を、ＬＥＤ１８の発生する光を透過可能な光透過性材料で構成することもできる。このようにすれば、小窓８３を構成する必要がない。
このように、スイッチノブとカバーとを一体的に構成したため、組立部品数を削減できると共に、組立工程を簡略化することもできる。
（実施の形態５）
次に、本発明の実施の形態５に係るイオン歯ブラシについて、図面を参照して説明する。
図１８は、実施の形態５に係るイオン歯ブラシの平面図であって、導電板及びカバーを外した状態を示す図、図１９は、図１８のＸＩＸ−ＸＩＸ線に沿った断面図、図２０は、図１８のＸＸ−ＸＸ線に沿った断面図である。
なお、実施の形態５では、前述した実施の形態に係るイオン歯ブラシと同様の部材には、同一の符号を付し、その詳細な説明は省略する。
図１８〜図２０に示すように、実施の形態５に係るイオン歯ブラシは、使用者が把持する柄部９５と、実施の形態１で説明したヘッド部５０を備えて構成されている。
柄部９５は、後に詳述する部品を収納する柄部本体９６と、前記部品を収納した柄部本体９６の表面に設けられて柄部本体９６を閉鎖するカバー９７を備えている。
柄部本体９６には、実施の形態１と同様に電池１４と、ＬＥＤ１８が収納されている。この柄部本体９６の中央部より若干基端側には、後に詳述するスプリング９８と、滑動支軸９９と、滑動支軸９９に対して移動可能に貫通する移動体としての滑動体１００と、を収納する収納穴１０１が形成されている。また、柄部本体９６のさらに基端側には、滑動支軸９９の湾曲部１０２が収納される収納穴１０３が形成されている。さらに、柄部本体９６の左側には、ＬＥＤ１８の端部１８Ｂと、電池１４の一方の電極とを電気的に接続する第１の接続部材１０４を収納する収納穴１０５が形成されている。
カバー９７には、滑動体１００の上部半分が移動可能に収納される収納穴１０６が形成されている。このカバー９７は、ＬＥＤ１８の発生する光を透過することが可能な光透過性材料により形成されている。
第１の接続部材１０４は、若干弓状に湾曲した断面略円形の丸線から構成されている。この第１の接続部材１０４は、この湾曲によって得られる弾性力により、ＬＥＤ１８の端子１８Ｂ及び電池１４の一方の電極に確実に電気的に接続されている。
滑動支軸９９は、導電性材料から形成されており、基端側の端部に略Ｕ字状に形成された湾曲部１０２を有している。この滑動支軸９９は、湾曲部１０２によって得られる弾性力により、基端側の端部がＬＥＤ１８の端部１８Ａと確実に電気的に接続されている。この滑動支軸９９は、前述した実施の形態で説明した第２の接続部材に相当する。
滑動体１００は、導電性材料から構成されており、その略中心部に滑動支軸９９を貫通させて、滑動支軸９９に移動可能に設けられている。この滑動体１００は、柄部９５の往復動により、滑動支軸９９に沿って移動し、柄部９５の先端側に移動した際には、収納穴１０１の先端側に配置されているスプリング９８を押圧すると共に、収納穴１０１に露出された支軸２６の基端側先端に接触可能となっている。この支軸２６に接触した滑動体１００は、スプリング９８の付勢力により、柄部９５の基端側に押し返されて前記接触が解除されるが、この時、柄部９５が往復動していれば、この往復動によっても滑動体１００は、柄部９５の基端側に移動し、両者の接触を解除する。
すなわち、滑動体１００の移動がスイッチの役割を果たしている。
このように、滑動体１００が支軸２６の基端側先端に接触することで、電池１４、第１の接続部材１０４、ＬＥＤ１８、滑動支軸９９、滑動体１００、支軸２６、電池１４という電気回路が構成される。この動作により、電池１４が所定の電圧を有している場合には、ＬＥＤ１８が点灯し、その有効性を示す。一方、支軸２６と滑動体１００との接触が解除されれば、前記電気回路が開き、ＬＥＤ１８の点灯が消える。なお、柄部９５が往復動を継続している間は、前述した動作により、ＬＥＤ１８は点滅を繰り返す。
以上説明したように、実施の形態５に係るイオン歯ブラシは、使用者がイオン歯ブラシを振って柄部９５を往復動させ、滑動体１００を移動させることにより、簡単に電源電圧の検査を行うことができる。
また、柄部９５の表面にスイッチを設ける必要がないため、柄部表面の構造を簡素化することができる。
そしてまた、実施の形態５に係るイオン歯ブラシは、滑動体１００が移動することにより、ＬＥＤ１８を点滅させることで生じる低周波変動電流を、ブラッシングに利用することで、より効果的に口内を清潔にし、歯垢を除去することができる。
また、前述した電気回路の所望位置に、電気回路が閉じた際に音を発生させる音発生回路（発音体）をさらに接続すれば、音によっても電池１４の有効性を確認することができる。この音発生回路としては、例えば、電子音を発生させるもの等が挙げられる。
なお、前述した実施の形態で説明した組立工程の簡略化と同様の効果も得られることは、勿論である。
（実施の形態６）
次に、本発明の実施の形態６に係るイオン歯ブラシについて、図面を参照して説明する。
図２１は、実施の形態６に係るイオン歯ブラシの平面図である。
なお、実施の形態６では、実施の形態５に係るイオン歯ブラシと同様の部材には、同一の符号を付し、その詳細な説明は省略する。
実施の形態６に係るイオン歯ブラシの、実施の形態５に係るイオン歯ブラシとの異なる点は、滑動体１００が柄部９５の先端方向に移動した際に、支軸２６に直接接触するのではなく、第２の接続部材１１３を介して支軸２６に接触する点である。
図２１に示しように、実施の形態６に係るイオン歯ブラシは、電池１４の一方の電極と、ＬＥＤ１８の端子１８Ｂとが、第１の弾性部材１１１により電気的に接続されている。この第１の弾性部材１１１も、前述した実施の形態と同様に、その弾性力によって電池１４と確実に接触している。
ＬＥＤ１８の端子１８Ａには、導電性を備えた滑動支軸１１２が電気的に接続されている。この滑動支軸１１２は、断面略円形の丸線によって構成されており、ＬＥＤ１８の端子１８Ａに接触する端部１１２Ａが、略Ｌ字状に曲げられている。滑動支軸１１２には、実施の形態５と同様に滑動体１００が移動可能に設けられており、収納穴１０１の先端側には、スプリング９８が配置されている。
支軸２６の基端側には、導電性を備えた第２の接続部材１１３が電気的に接続されている。この第２の接続部材１１３は、断面略円形の丸線によって構成されており、支軸２６の基端に接触する端部１１３Ａが、略Ｌ字状に曲げられている。第２の接続部材１１３の基端側は、滑動体１００が柄部９５の先端側に移動した際に接触することが可能なように、柄部９５の基端側に延出している。
この構造を備えたイオン歯ブラシでは、柄部９５の往復動により滑動体１００が滑動支軸１１２に沿って柄部９５の先端側に移動した際には、滑動体１００がスプリング９８を押圧すると共に、収納穴１０１に露出された第２の接続支軸２６の基端側先端に接触可能となっている。この第２の接続部材１１３に接触した滑動体１００は、スプリング９８の付勢力により、柄部９５の基端側に押し返されて前記接触が解除されるが、この時、柄部９５が往復動していれば、この往復動によっても滑動体１００は、柄部９５の基端側に移動し、両者の接触を解除する。
なお、実施の形態５及び６では、移動体として滑動体１００を用いた場合について説明したが、これに限らず、図２２に示すように、滑動体１００の代わりに導電性材料からなる転動体１２０（例えば、球体や円筒体など）を用いることもできる。すなわち、ＬＥＤ１８の端子１８Ａと、支軸２６の基端部を、転動部１２１に互いに間隔をおいて配置し、この転勤部１２１に配置された端子１８Ａ及び支軸２６の基端部上を転動体１２０が通過し、端子１８Ａ及び支軸１６と接触した際に、ＬＥＤ１８を点灯させるものである。
また、滑動体１００を用いた他の形態としては、図２３〜図２６に示すものが挙げられる。なお、図２３〜図２６は、前述した電気回路を簡略化して記載したものである。
図２３に示すものは、ＬＥＤ１８の端子１８Ａ及び支軸２６の基端部を、滑動体１００を収納する収納穴１０１に、互いに間隔をおいて配置た状態で露出させておき、柄部９５の往復動によって滑動体１００が移動し、端子１８Ａ及び支軸２６の基端部に接触した際に、ＬＥＤ１８を点灯させるものである。また、端子１８Ａ及び支軸２６の基端部の近傍には、スプリング９８を配置しておき、滑動体１００が端子１８Ａ及支軸２６に接触した際には、スプリング９８の付勢力により滑動体１００を開回路になるように押し返すよう構成されている。なお、滑動体１００が端子１８Ａ及支軸２６に接触でなく衝突した際には、支軸２６と端子１８Ａからの反力により跳ね返される。スプリング９８は、静止時に回路が「閉」になりっぱなしになることを避けるためのものである。
図２４に示すものは、図２３に対し、スプリング９８を配置する代わりに、支軸２６の基端側先端をスプリング１２３としたものである。なお、その他の特徴は図２３に示すものと同様である。
図２５に示すものは、ＬＥＤ１８の端子１８Ａの先端がスプリング１２３となっており、このスプリング１２３の先端に滑動体１００を配置したものである。このイオン歯ブラシは、主として柄部９５の往復動によって滑動体１００を移動させ、支軸２６との接触、非接触を行わせる。スプリング１２３の主たる役目は、不使用時、静止時に滑動体１００が支軸２６に接触しっぱなしになることを防止するためのものである。
図２６に示すものは、ＬＥＤ１８の端子１８Ａと、支軸２６の基端部との間にスイッチ部１２５を設け、収納穴１０１の柄部９５先端側にスプリング９８によって支持された非導電性材の滑動体１００を設けたものである。このイオン歯ブラシは、柄部９５の往復動によって滑動体１００を移動させ、滑動体１００がスイッチ部１２５を押圧した際に、前記電気回路を閉じてＬＥＤ１８を点灯させるものである。スプリング９８の役目は、例えば、スプリング９８側を上に、滑動体１００側を下に静置した時、滑動体１００が重力によってスイッチ部１２５を押圧し、閉回路とすることを避けるためのものである。
なお、ＬＥＤ１８が点灯する際には、支軸２６からブラシ毛５１経由で口中を流れる電子の電圧と電流の量が下がり、ＬＥＤ１８が消灯する際には、元に復する（図２７参照）。したがって、往復動ブラッシングをすれば、一秒間に１〜数回の不規則な点滅を繰り返し、結果として変動低周波電流となる。
筑波大学名誉教授・杉靖三郎監修の「電子治療大事典」には、近年、世界各国の医学者たちの研究により、実用面ではプラス、マイナスの極性よりも、むしろ、低周波電流の波形や周波数の変化による特殊な作用の方が人体に与える影響が大きいことが判ってきた。すなわち、そうした電流の波形や周波数の変化が、脳幹から出るエンドルフィンズという自然の鎮痛物質の分泌を盛んにしたり、脊髄にある疼痛を制御するゲート（関門）の働きに影響を与える。
低周波の電流を皮膚の上から流してやると、その刺激によって、神経には正常な興奮が発生し、本来の正しい働きが回復する。このため、海外諸国では、一般的な低周波治療のことを、ＴＥＮＳ（Ｔｒａｎｓｃｕｔａｎｅｏｕｓ  Ｅｌｅｃｔｒｉｃａｌ  Ｎｅｒｖｅ  Ｓｔｉｍｕｌａｔｉｏｎ  ：経皮電気的神経刺激法）と呼んでいる。
なお、低周波療法の主たる生理的作用は次の通りである。
１．運動神経や筋肉に対する作用：マッサージ効果と運動効果を生み出す。
２．自律神経に対する作用：種々の慢性病に効果が期待できる。
３．知覚神経に対する作用：鎮痛効果を発揮する。
低周波の周波数について、手動式の場合、家庭療法での一般的な原則は以下の通りである。
刺激通電用：最低周波数１〜２０Ｈｚ
四肢通電用：周波数  低１〜５０Ｈｚ、中６０〜１２５Ｈｚ
交流式の電位療法では、電位（電圧）が時々刻々変わるので、そこには、変動電場（変動電磁場）が生じる。最近の研究では、変動電場を人体に作用させると、傷の治りが早まったり、骨折等の治癒が非常に促進されることが内外の多数の学者によって確認されている。
最新の治療器では、さらに複雑な変動電場を作るため、コンピュータを応用したものがあり、大いにその有用性が期待されている。これを「変動電位式電位治療器」と呼び、従来の電位治療器を「固定電位式」と呼んで区別することがある。
前記「電子治療大事典」には、以上のような記載がなされている。したがって、本願発明の振動スイッチ式イオン歯ブラシは、歯と体により一層有益な作用効果をもたらすものであり、前述の文献と比較しても、電位（電圧）と電流の変化は、移動体の衝突により発生する。このため、図２７に示すように衝撃的（インパルス）で、高度に刺激的で、また非常にシンプルな構成で、前述のコンピュータ応用の複雑変動電場にも、ひけをとらず、使用者の無意識の往復動作によるファジイな複雑変動電場を作り、細胞を活性化する。また、この反面、低電位なので、大変安全で、しかも習慣として、全ての人が毎日複数回使用するものであるので、従来の固定電位式イオン歯ブラシと比べて、大変大きな進歩性を有するものである。
（実施の形態７）
次に、本発明の実施の形態７に係るイオン歯ブラシについて、図面を参照して説明する。
図２８は、実施の形態７に係るイオン歯ブラシの平面図であって、その一部を図２９に示すＸＸＶＩＩＩ−ＸＸＶＩＩＩ線に沿って断面にした図、図２９は、図２８に示すＸＸＩＸ−ＸＸＩＸ線に沿った断面図、図３０は、図２８に示すＸＸＸ−ＸＸＸ線に沿った断面図、図３１は、図２８に示すＸＸＸＩ−ＸＸＸＩ線に沿った断面図、図３２は、実施の形態７に示すイオン歯ブラシの側面図である。
なお、実施の形態７では、実施の形態５に係るイオン歯ブラシと同様の部材には、同一の符号を付し、その詳細な説明は省略する。
実施の形態７に係るイオン歯ブラシの、実施の形態５に係るイオン歯ブラシとの異なる点は、柄部本体をカバーで閉鎖する代わりに、柄部本体の基端側をキャップで閉鎖した点と、滑動支軸の形状である。
図２８〜図３２に示すように、実施の形態７に係るイオン歯ブラシは、使用者が把持する柄部１３０と、ヘッド部５０と、を備えて構成されている。
柄部１３０は、後に詳述する部品を収納する柄部本体１３１と、この部品を収納した柄部本体１３１の基端側に設けられて柄部本体１３１を閉鎖するキャップ１３２とを備えている。
柄部本体１３１の内側には、スプリング９８と、滑動支軸１３３の一部と、滑動支軸１３３に対して移動可能に貫通する移動体としての滑動体１００と、を収納する収納穴１３６と、第１の接続部材１０４の一部を収納する収納穴１３７が形成されている。
実施の形態５で説明した滑動支軸９９に変えて配置された滑動支軸１３３は、導電性材料から形成されており、基端側の端部に略Ｕ字状に形成された湾曲部１０２を有している。また、この湾曲部１０２の先端側には、湾曲部１０２と垂直に湾曲した湾曲部１３４（図２９参照）が隣接されている。この滑動支軸１３３は、湾曲部１０２及び１３４によって、柄部１３０に対し上下、左右方向が固定される。また、湾曲部１０２の弾性力により、基端側の端部がＬＥＤ１８の端部１８Ａと確実に電気的に接続されている。
キャップ１３２には、ＬＥＤ１８と、滑動支軸１３３の湾曲部１０２及び１３４を含む基端側と、第１の接続部材１０４の基端側を収納する収納穴１３５と、が形成されている。このキャップ１３２は、ＬＥＤ１８の発生する光を透過させることが可能な光透過性部材から構成されている。
この構成を備えたイオン歯ブラシも、実施の形態５に係るイオン歯ブラシと同様に、使用者がイオン歯ブラシを振って柄部１３０を往復動させ、滑動体１００を移動させることにより、ＬＥＤ１８を点滅させることができる結果、簡単に電源電圧の検査を行うことができる。
なお、使用者は、自然の動作として、ブラシ毛側を上方にして柄部を把持し、当該柄部を上下に振りながらＬＥＤ（発光体）の点滅を見る。
この時、スプリング９８が、移動体１００に対して上方にある場合は、重力の作用により、実施の形態５の支軸２６や、実施の形態６の第２の接続部材１１３に、移動体１００が衝突接触して回路が閉じている時間は、実施の形態７のスプリング９８が下方にある場合に比べて少ない。したがって、実施の形態５及び６のＬＥＤ１８の輝きは実施の形態７に比べて少なくなる。
図３３は、このＬＥＤ１８の発光時間を長く維持できるよう、支軸２６の端部にスプリング１２８を設けたものである。この構成を備えたイオン歯ブラシでは、移動体１００が重力の作用により下方に下がるタイミングを、スプリング１２８によって遅くすることができる結果、支軸２６と移動体１００がスプリング１２８を介しての接触時間を長くすることができ、ＬＥＤ１８の輝きを良くすることができる。
（実施の形態８）
次に、本発明の実施の形態８に係るイオン歯ブラシについて、図面を参照して説明する。
図３４は、実施の形態８に係るイオン歯ブラシのカバーを外した状態を示す平面図、図３５は、実施の形態８に係るイオン歯ブラシの側面図、図３６は、図３４に示すＸＸＸＶＩ−ＸＸＸＶＩ線に沿った断面図、図３７は、図３４に示すＸＸＸＶＩＩ−ＸＸＸＶＩＩ線に沿った断面図である。
なお、実施の形態８では、前述した実施の形態で説明した部材と同様の部材には、同一の符号を付し、その詳細な説明は省略する。
図３４〜図３７に示すように、実施の形態８に係るイオン歯ブラシは、使用者が把持する柄部１４０と、ベッド部５０（図示せず）と、を備えて構成されている。
柄部１４０は、後に詳述する部品を収納する柄部本体１４１と、この部品を収納した柄部本体１４１に設けられて柄部本体１４１を閉鎖するカバー１４２とを備えている。
柄部本体１４１には、第１の接続部材１４３が収納される収納穴１４４と、スプリング９８、滑動支軸１４５、滑動支軸１４５に対して移動可能に貫通する移動体としての滑動体１００、移動体１００とＬＥＤ１８の端子とを電気的に接続可能な第３の接続部材１４６及びＬＥＤ１８を収納する収納穴１４６と、が形成されている。
第１の接続部材１４３は、略中央部が略Ｕ字状の湾曲部１０２となっており、前述した実施の形態と同様に、この湾曲部１０２の弾性力及び第１の接続部材１４３自身の屈まり弾性力によって、第１の接続部材１４３の一端は、電池１４に、他端は、ＬＥＤ１８の端子１８Ｂに確実に固定されている。
滑動支軸１４５は、先端部が支軸２６に電気的に接続されている。この滑動支軸１４５は、導電性材料から形成されており、先端側の端部に略Ｕ字状に形成された湾曲部１０２を有している。この滑動支軸１４５も前記と同様に、湾曲部１０２の弾性力により、先端が支軸２６と確実に電気的に接続される。
第３の接続部材１４６は、略中央部に、略コ字状の湾曲部１４８が形成されている。この第３の接続部材１４６も、湾曲部１４８の弾性力により、一端がＬＥＤ１８の端子１８Ａに確実に電気的に接続されている。また、他端は、移動体１００に対応し対置であって、移動体１００が移動した際に接触可能な位置に配置されている。
カバー１４２には、特に図３６及び３７に示すように、柄部本体１４１に収容される各部品を収容する収容穴１４９が形成されている。
なお、実施の形態８では、カバー１４２あるいは、柄部本体１４１の少なくとも一方を、ＬＥＤ１８の発生する光を透過させることが可能な光透過性部材から構成している。
この構成を備えたイオン歯ブラシは、通常の状態でブラシ毛側を上方にすると、移動体１００が重力の作用によって下方（第３の接続部材１４８側）に移動するが、スプリング９８の付勢力によって、第３の部材１４８とは接触しないため、ＬＥＤ１８が点灯することはない。ここで、使用者が歯磨きを行い柄部を往復動させると、移動体１００は、スプリング９８の付勢力に抗して、第３の接続部材１４８と衝突接触し、その衝突反力により再び第３の接触部材１４３との接触から解放される。この際、スプリング９８の付勢力も接触の解放に貢献する。この動作の繰り返しによって、ＬＥＤ１８は点滅を行う。
なお、前述した実施の形態では、柄部とヘッド部とが分離可能な構造のイオン歯ブラシについて説明したが、これに限らず、本発明に係るイオン歯ブラシは、柄部とブラシ部とが、一体に形成されていてもよいことは勿論である。
また、前述した実施の形態では、イオン歯ブラシについて説明したが、これに限らず、電池を使用して歯磨きを行う歯ブラシであれば、その電池の有効性を検査するために、本願を応用可能であることは勿論である。
そしてまた、前述した実施の形態では、電池の有効性を知られる手段として、ＬＥＤ（発光体）を例にとって説明したが、これに限らず、ＬＥＤの代わりに、音を発生させる発音体を使用してもよいし、発光体と発音体の両方を使用することもできる。
産業上の利用可能性
本発明に係る歯ブラシは、電池の有効性を検査するための発光体の点滅を、スイッチにより行うことができる。したがって、歯磨きの間、常に光と音が発せられる複数の電子部品による構造とは異なり、日常品である歯ブラシとして簡単に普及させることができる。
また、電池の有効性は、発光体、導電性支軸及び電池を含む電気回路の開閉によって行うことができるため、部品点数の増加を必要最低限に抑えることができる。したがって、組立工程が簡略化された歯ブラシを提供することができる。
【図面の簡単な説明】
図１は、本発明の実施の形態１に係るイオン歯ブラシの平面図である。
図２は、図１に示すイオン歯ブラシの側面図である。
図３は、図１に示すイオン歯ブラシから導電板及びカバーを外した状態の平面図である。
図４は、図３に示すＩＶ−ＩＶ線に沿った断面図である。
図５は、図３に示すＶ−Ｖ線に沿った断面図である。
図６は、図４に示すＶＩ−ＶＩ線に沿った断面図である。
図７は、図４に示すＶＩＩ−ＶＩＩ線に沿った断面図である。
図８は、図４に示すＶＩＩＩ−ＶＩＩＩ線に沿った断面図である。
図９は、図４に示すＶＩＶ−ＶＩＶ線に沿った断面図である。
図１０は、図４に示すＸ−Ｘ線に沿った断面図である。
図１１は、本発明の実施の形態２に係るイオン歯ブラシの平面図である。
図１２は、図１１に示すＸＩＩ−ＸＩＩ線に沿った断面図である。
図１３は、図１１のＸＩＩＩ−ＸＩＩＩ線に沿った断面図である。
図１４は、本発明の実施の形態３に係るイオン歯ブラシの平面図である。
図１５は、図１４に示すＸＶ−ＸＶ線に沿った断面図である。
図１６は、図１４のＸＶＩ−ＸＶＩ線に沿った断面図である。
図１７は、本発明の実施の形態４に係るイオン歯ブラシの図１５に対応する一部断面図である。
図１８は、本発明の実施の形態５に係るイオン歯ブラシの平面図であって、導電板及びカバーを外した状態を示す図である。
図１９は、図１８のＸＸ−ＸＸ線に沿った断面図である。
図２０は、図１８のＸＩＸ−ＸＩＸ線に沿った断面図である。
図２１は、本発明の実施の形態６に係るイオン歯ブラシの平面図である。
図２２は、本発明の他の実施の形態に係る電気回路を示す間略図である。
図２３は、本発明の他の実施の形態に係る電気回路を示す間略図である。
図２４は、本発明の他の実施の形態に係る電気回路を示す間略図である。
図２５は、本発明の他の実施の形態に係る電気回路を示す間略図である。
図２６は、本発明の他の実施の形態に係る電気回路を示す間略図である。
図２７は、本発明の他の実施の形態に係る電気回路の電圧と時間との関係を示す図である。
図２８は、本発明の実施の形態７に係るイオン歯ブラシの平面図であって、その一部を図２９に示すＸＸＶＩＩＩ−ＸＸＶＩＩＩ線に沿って断面にした図である。
図２９は、図２８に示すＸＸＩＸ−ＸＸＩＸ線に沿った断面図である。
図３０は、図２８に示すＸＸＸ−ＸＸＸ線に沿った断面図である。
図３１は、図２８に示すＸＸＸＩ−ＸＸＸＩ線に沿った断面図である。
図３２は、実施の形態７に示すイオン歯ブラシの側面図である。
図３３は、本発明の他の実施の形態に係る電気回路を示す間略図である。
図３４は、実施の形態８に係るイオン歯ブラシのカバーを外した状態を示す平面図である。
図３５は、実施の形態８に係るイオン歯ブラシの側面図である。
図３６は、図３４に示すＸＸＸＶＩ−ＸＸＸＶＩ線に沿った断面図である。
図３７は、図３４に示すＸＸＸＶＩＩ−ＸＸＸＶＩＩ線に沿った断面図である。
【図１】
0003967549.tif 000002
【図２】
0003967549.tif 000003
【図３】
0003967549.tif 000004
【図４】
0003967549.tif 000005
【図５】
0003967549.tif 000006
【図６】
0003967549.tif 000007
【図７】
0003967549.tif 000008
【図８】
0003967549.tif 000009
【図９】
0003967549.tif 000010
【図１０】
0003967549.tif 000011
【図１１】
0003967549.tif 000012
【図１２】
0003967549.tif 000013
【図１３】
0003967549.tif 000014
【図１４】
0003967549.tif 000015
【図１５】
0003967549.tif 000016
【図１６】
0003967549.tif 000017
【図１７】
0003967549.tif 000018
【図１８】
0003967549.tif 000019
【図１９】
0003967549.tif 000020
【図２０】
0003967549.tif 000021
【図２１】
0003967549.tif 000022
【図２２】
0003967549.tif 000023
【図２３】
0003967549.tif 000024
【図２４】
0003967549.tif 000025
【図２５】
0003967549.tif 000026
【図２６】
0003967549.tif 000027
【図２７】
0003967549.tif 000028
【図２８】
0003967549.tif 000029
【図２９】
0003967549.tif 000030
【図３０】
0003967549.tif 000031
【図３１】
0003967549.tif 000032
【図３２】
0003967549.tif 000033
【図３３】
0003967549.tif 000034
【図３４】
0003967549.tif 000035
【図３５】
0003967549.tif 000036
【図３６】
0003967549.tif 000037
【図３７】
0003967549.tif 000038